(57)【要約】      （修正有）【課題】折り曲げ加工部品の取付位置を具体的に指示し、折り曲げ加工部品の取付位置間違いを未然に防ぐ装置を提供する。【解決手段】加工部品取付部２，５に加工部品を取付けたのちに所定の折り曲げ加工動作を行う曲げ加工装置１の加工部品取付部に加工部品を取付けるときの取付位置を直接指示する取付位置指示手段７を備えた。【選択図】図１（ｂ）
2014104506.tif 000002
【特許請求の範囲】
【請求項１】
加工部品取付部に加工部品を取付けたのちに所定の折り曲げ加工動作を行う曲げ加工装置であって、
前記加工部品取付部に前記加工部品を取付けるときの取付位置を直接指示する取付位置指示手段を備えたことを特徴とする曲げ加工装置における加工部品取付位置指示装置。
【請求項２】
請求項１に記載の曲げ加工装置における加工部品取付位置指示装置であって、
前記加工部品取付部には、複数の前記加工部品が異なる位置に取付られるとともに、前記取付位置指示手段はそれぞれの前記加工部品の取付位置を指示することを特徴とする曲げ加工装置における加工部品取付位置指示装置。
【請求項３】
請求項１または請求項２に記載の曲げ加工装置における加工部品取付位置指示装置であって、
前記取付位置指示手段は、多次元位置駆動機構により加工部品の取付指示位置が定められることを特徴とする曲げ加工装置における加工部品取付位置指示装置。
【請求項４】
請求項１または請求項２に記載の曲げ加工装置における加工部品取付位置指示装置であって、
前記取付位置指示手段は、前記加工部品取付部に沿って配置された複数の発光手段であることを特徴とする曲げ加工装置における加工部品取付位置指示装置。
【請求項５】
請求項１または請求項２に記載の曲げ加工装置における加工部品取付位置指示装置であって、
前記取付位置指示手段は、前記加工部品取付部に沿って往復動を行う移動手段であり、その一部に位置指示部が配置されていることを特徴とする曲げ加工装置における加工部品取付位置指示装置。
【請求項６】
請求項１または請求項２に記載の曲げ加工装置における加工部品取付位置指示装置であって、
前記取付位置指示手段は、前記加工部品取付部の取付位置を外部から照射する投稿手段であることを特徴とする曲げ加工装置における加工部品取付位置指示装置。
【請求項７】
請求項１または請求項２に記載の曲げ加工装置における加工部品取付位置指示装置であって、
前記取付位置指示手段は、前記加工部品取付部に前記加工部品を取付るときの取付位置端部に位置してストッパ部を備えることを特徴とする曲げ加工装置における加工部品取付位置指示装置。
【請求項８】
請求項１から請求項７のいずれか１項に記載の曲げ加工装置における加工部品取付位置指示装置であって、
前記加工部品取付部に前記加工部品を取付けたときの取付状態を検知する取付位置検出部を備えることを特徴とする曲げ加工装置における加工部品取付位置指示装置。
【請求項９】
請求項１から請求項８のいずれかに記載の曲げ加工装置における加工部品取付位置指示装置であって、
前記加工部品取付部に前記加工部品を取付けたとき、前記所定の折り曲げ加工動作後の加工製品の情報を表示する手段を備えることを特徴とする曲げ加工装置における加工部品取付位置指示装置。
【請求項１０】
請求項３に記載の曲げ加工装置における加工部品取付位置指示装置であって、
前記多次元位置駆動機構の駆動方向として、複数の前記加工部品の取付方向と折り曲げ加工動作方向を含むことを特徴とする曲げ加工装置における加工部品取付位置指示装置。
【請求項１１】
加工部品取付部に加工部品を取付けたのちに所定の折り曲げ加工動作を行う曲げ加工装置における加工部品取付位置指示システムであって、
作業工程ごとの折り曲げ加工の情報を与える入力手段と、すくなくとも作業工程ごとに使用する加工部品とその取付位置の情報を保持するデータベースとを備え、
前記曲げ加工装置は、前記データベースから得た情報を用いて、加工部品取付部に前記加工部品を取付けるときの取付位置を直接指示する取付位置指示手段と、取付位置指示手段の制御手段を備えていることを特徴とする曲げ加工装置における加工部品取付位置指示システム。
【請求項１２】
請求項１１記載の曲げ加工装置における加工部品取付位置指示システムであって、
前記取付位置指示手段の制御装置として、前記取付位置指示手段を加工部品の取付指示位置に導くための駆動機構を備え、該駆動機構は移動方向ごとの駆動部と移動方向ごとの位置検出部を備えることを特徴とする曲げ加工装置における加工部品取付位置指示システム。
【請求項１３】
請求項１１記載の曲げ加工装置における加工部品取付位置指示システムであって、
前記取付位置指示手段は光学手段であり、前記制御手段は前記データベースから得た情報を用いて、加工部品取付部に前記加工部品を取付るときの取付位置を指示する光学手段を操作することを特徴とする曲げ加工装置における加工部品取付位置指示システム。
【請求項１４】
請求項１１から請求項１３のいずれか１項に記載の曲げ加工装置における加工部品取付位置指示システムであって、
前記加工部品取付部に前記加工部品を取付けたときの取付状態を検知する取付位置検出部を備えることを特徴とする曲げ加工装置における加工部品取付位置指示システム。
【請求項１５】
請求項１１から請求項１４のいずれかに記載の曲げ加工装置における加工部品取付位置指示システムであって、
前記加工部品取付部に前記加工部品を取付けたとき、前記所定の折り曲げ加工動作後の加工製品の情報を表示する手段を備えることを特徴とする曲げ加工装置における加工部品取付位置指示システム。
【発明の詳細な説明】
【技術分野】
【０００１】
本発明は、曲げ加工装置における加工部品取付位置指示装置及びシステムに関する。
【背景技術】
【０００２】
従来、折り曲げ加工装置(以下単に曲げ加工装置という)を用いた折り曲げ作業は、使用する折り曲げ加工部品の種類や取付位置、曲げ方法等を曲げ加工装置付帯の制御装置で加工寸法等を登録し、この登録されたデータに基づいて加工等を実施していた。
【０００３】
図２に一般的な曲げ加工装置１の概略構成を示す。図２（ａ）は曲げ加工装置の正面図、図２（ｂ）は曲げ加工装置の側断面を示している。
【０００４】
図２の曲げ加工装置１は、上側折り曲げ加工部品取付部２に上側折り曲げ加工部品３を取付け、下側折り曲げ加工部品取付部５に下側折り曲げ加工部品４を取付けている。これらの取付部２、５は加工部品３，４を取付けた状態で相対的に上下方向（Ｚ方向）に移動し、加工部品３，４の間に配置された製品部材(図示せず)を上下から圧迫して形成加工する。
【０００５】
なお、加工部品３，４は、いわゆる金型であり、例えば図２（ｂ）に示すように一方の金型に凹部、他方の金型に凸部が形成されている。また図２（ａ）に示すように、１台の曲げ加工装置１には、左右方向（Ｘ方向）に上下対にされた加工部品が複数組設置され、一度の形成加工作業で複数の製品が形成加工されるように構成されている。この場合に、複数の製品は同じものを複数同時に製造(同一品種製造)するものであっても、また異なる製品を多品種生産するものであってもよい。
【０００６】
係る従来の曲げ加工装置１においては、折り曲げ加工部品３、４の例えばＸ方向取付位置は、作業者６が曲げ加工装置１付帯の制御装置に登録されたデータと曲げ加工装置１の折り曲げ加工部品３、４取付位置を確認、比較して取付けていた。
【０００７】
しかるに、使用する折り曲げ加工部品の選択や取付にあたり、曲げ加工装置付帯の制御装置に登録したデータを確認して行う方法では、選択間違いや取付場所の間違い等が発生し、製品不良の一因となっていた。
【０００８】
前記の課題に対し、これまで、使用する折り曲げ加工部品の個別指示や折り曲げ加工部品取付後の折り曲げ加工部品検出機能の確立により、折り曲げ加工部品選定間違いや折り曲げ加工部品取付位置間違いを折り曲げ作業前に検出出来る様になった。
【０００９】
そして、次の段階として、折り曲げ加工部品取付位置の間違いを検出するのではなく、作業時に折り曲げ加工部品取付位置を間違わない様にする機構の開発が求められている。
【００１０】
また係る問題の解決のために折り曲げ加工部品３、４の種類や取付位置を検出し、正常に取付けられているかを判別する機能が開発された。然しながら、この機能により折り曲げ加工部品３、４取付位置を間違えたことが判明した場合には、同機能による異常通知や目視確認結果を受けて、折り曲げ加工部品３、４取付位置を再調整する後戻り作業が発生していた。
【００１１】
これらの加工部品取付に関する課題の解決のために、特許文献１には「曲げ加工装置において、ストレッチに取付けた突き当てやサイドゲージなどのワーク位置決め機構を利用し、可視光線やレバーなどの指示子でパンチ固定位置を直接表示するパンチ固定位置表示手段」が開示されている。
【００１２】
また特許文献２には「板金加工機械において、ストレッチに取付けたバックゲージの移動動作を利用し、バックゲージセンサで金型取付位置を指示する方法」が開示されている。
【先行技術文献】
【特許文献】
【００１３】
【特許文献１】特開２００６−３０５６０９号公報
【特許文献２】特開平９−１５５４５２号公報
【発明の概要】
【発明が解決しようとする課題】
【００１４】
特許文献１、特許文献２ではバックゲージあるいはサイドゲージなどを利用して加工部品の取付位置を指示しているが、間接的な位置決めであり、取付位置精度に欠けるという問題がある。
【００１５】
また、１台の曲げ加工装置が複数組の加工部品を備え、一度の操作で複数製品の加工を行うような場合、あるいは多種類の加工操作を１台で実施するような場合には、加工部品取付の都度相違する取付位置とする必要がある。このようなケースでは、バックゲージあるいはサイドゲージなどを利用して加工部品の取付位置を間接的に位置決めする手法には限界がある。
【００１６】
本発明の曲げ加工装置における加工部品取付位置指示装置及びシステムは、上記の課題を解決するために、折り曲げ加工部品３、４取付位置を具体的に指示し、折り曲げ加工部品３、４の取付位置間違いを未然に防ぐ事を目的とする。
【課題を解決するための手段】
【００１７】
前記の目的を達成するために、本発明の曲げ加工装置における加工部品取付位置指示装置では加工部品取付部に加工部品を取付けたのちに所定の折り曲げ加工動作を行い、加工部品取付部に加工部品を取付るときの取付位置を指示する取付位置指示手段を備えた。
【００１８】
また前記の目的を達成するために、本発明の曲げ加工装置における加工部品取付位置指示システムでは加工部品取付部に加工部品を取付けたのちに所定の折り曲げ加工動作を行う曲げ加工装置を含み、作業工程ごとの折り曲げ加工の情報を与える入力手段と、すくなくとも作業工程ごとに使用する加工部品とその取付位置の情報を保持するデータベースとを備え、曲げ加工装置は、データベースから得た情報を用いて、加工部品取付部に加工部品を取付るときの取付位置を指示する取付位置指示手段と、取付位置指示手段の制御手段を備えている。
【発明の効果】
【００１９】
本発明により、曲げ加工装置における折り曲げ加工部品取付時の折り曲げ加工部品取付位置間違いを未然に防止し、製品不良や装置、他折り曲げ加工部品を壊す要因を排除し、また、折り曲げ加工部品取付位置間違いに伴う折り曲げ加工部品取付作業のやり直しという後戻り作業を排除する効果が見込める。
【００２０】
また、折り曲げ加工部品取付位置確認の容易化により、折り曲げ加工部品取付作業に要する時間を短縮する事が可能となる。
【図面の簡単な説明】
【００２１】
【図１（ａ）】実施例１に係る加工部品取付位置指示装置の平面図。
【図１（ｂ）】実施例１に係る加工部品取付位置指示装置の側断面図。
【図２（ａ）】従来の曲げ加工装置の正面図。
【図２（ｂ）】従来の曲げ加工装置の側断面図。
【図３】実施例１に係る折り曲げ加工部品取付位置指示システム構成を示す図。
【図４（ａ）】実施例１に係る表示部の平面図。
【図４（ｂ）】実施例１に係る表示部の側断面図。
【図５（ａ）】実施例２に係る表示部の平面図。
【図５（ｂ）】実施例２に係る表示部の側断面図。
【図６】実施例２に係る折り曲げ加工部品取付位置指示システムの構成を示す図。
【図７（ａ）】実施例２に係る可視光表示部の平面図。
【図７（ｂ）】実施例２に係る可視光表示部の拡大図。
【図７（ｃ）】実施例２に係る可視光表示部の側断面図。
【図８（ａ）】実施例３に係る回動表示装置構成の平面図。
【図８（ｂ）】実施例３に係る回動表示装置構成の正面図。
【図９】実施例３に係る折り曲げ加工部品取付位置指示システムの構成を示す図。
【図１０（ａ）】実施例４に係る可視光投射表示部の平面図。
【図１０（ｂ）】実施例４に係る可視光投射表示部の側断面図。
【図１１（ａ）】実施例１に係る押し当て表示部の平面図。
【図１１（ｂ）】実施例１に係る押し当て表示部の側断面図。
【図１２（ａ）】実施例５に係る加工部品取付位置指示装置の平面図。
【図１２（ｂ）】実施例５に係る加工部品取付位置指示装置の側断面図。
【図１３】実施例５に係る折り曲げ加工部品取付位置指示システム構成を示す図。
【図１４】実施例５に係る検出装置の平面図。
【図１５】実施例６に係る折り曲げ加工後形状表示を示す図。
【図１６】実施例６に係る折り曲げ加工部品取付位置指示システム構成を示す図。
【図１７】実施例６に係る折り曲げ加工後形状表示を示す図。
【図１８】実施例６に係る折り曲げ加工部品取付位置指示システム構成を示す図。
【図１９】従来と本発明の加工部品取付手順について説明する図。
【発明を実施するための形態】
【００２２】
本発明では、折り曲げ加工部品取付位置を指示器により指示し、取付位置間違いを未然に防止する。以下図面を用いて説明する。
【実施例１】
【００２３】
図１、図３、図４に本発明の実施例１に係る加工部品取付位置指示装置及びシステムの概略構成を示す。実施例１では、多次元の駆動機構に取付けた表示部により取付位置を指示する。
【００２４】
図１の加工部品取付位置指示装置５０は、基本的に図２で説明した従来の曲げ加工装置１に適用される。図１（ａ）は本発明の加工部品取付位置指示装置５０の平面図、図１（ｂ）は加工部品取付位置指示装置５０の側断面を示している。
【００２５】
図１（ａ）の平面図には、左右方向（Ｘ方向）と奥行き方向（Ｙ方向）が図示されている。図１（ｂ）の即断面図には、上下方向（Ｚ方向）と奥行き方向（Ｙ方向）が図示されている。なお、図からも明らかなように左右方向（Ｘ方向）は、複数の加工部品の取付方向であり、上下方向（Ｚ方向）は折り曲げ加工動作方向である。
【００２６】
図１の加工部品取付位置指示装置５０は、折り曲げ加工部品取付位置表示部７が設置されており、折り曲げ加工部品取付位置表示部７を曲げ加工装置１の任意の取付位置に誘導する例えばＸ，Ｙ，Ｚの３次元の駆動機構を備えている。
【００２７】
Ｘ軸の駆動機構１１，１３は図１（ａ）に特徴がよく表れており、Ｙ軸の駆動機構９，１０，１２とＺ軸の駆動機構８，１４，１５は図１（ｂ）に特徴がよく表れている。なお図１（ａ）の左右方向には下側折り曲げ加工部品取付部５を例示している。取付部５には、加工部品を取付固定するための加工部品固定部３５（例えばスリット）が形成されている。
【００２８】
各駆動機構は、モータの回転を往復動に変換することで３次元位置を定めるものが採用可能である。具体的には、折り曲げ加工部品取付位置表示部７を折り曲げ加工部品取付開始位置まで移動、または、加工時に退避位置に移動させるための各軸の駆動部９、１０、１５、折り曲げ加工部品取付位置表示部７を折り曲げ加工部品取付部２、５と平行に移動させるための駆動軸１０、１３、１４を備えている。
【００２９】
なお１１と１２はＸ軸とＹ軸の端部に設けられた固定部である。図示以外の設備としては、折り曲げ加工部品取付位置表示部７の現在位置を検出する検出部、全体の制御を司る制御部を有する。
【００３０】
本発明の折り曲げ加工部品取付位置指示システムの具体的な構成を図３に示す。
【００３１】
図３の折り曲げ加工部品取付位置指示システムは、工場ネットワークＮＷ１に接続された作業情報データベースＤＢ１と、曲げ加工装置ネットワークＮＷ２に接続された折り曲げ加工情報データベースＤＢ２とを備えている。また作業情報データベースＤＢ１は、作業者が操作するキーボード、マウスなどの作業管理機器４０に接続されている。
【００３２】
この構成では、作業情報データベースＤＢ１にはこの工場または曲げ加工装置１が実行する作業工程の情報が記憶されており、工場ネットワークＮＷ１あるいは作業管理機器４０を通じて、次の作業工程が指示され、あるいは記憶済みの作業工程の変更などが行われる。折り曲げ加工情報データベースＤＢ２には、当該作業工程の時に曲げ加工装置１で使用する加工部品の情報が記憶されており、特に加工部品として何を使用し、取付ける場所についての３次元位置情報を含めて記憶している。
【００３３】
曲げ加工装置１は、折り曲げ加工情報データベースＤＢ２からの情報を曲げ加工装置ネットワークＮＷ２を介して入手して折り曲げ制御を実行する折り曲げ制御部４１を含んでいる。折り曲げ制御部４１の出力により、別途図示せぬ駆動機構により加工部品を上下動させて、曲げ作業を実施する。
【００３４】
本発明では、曲げ作業以前の段取り段階として、加工部品の取り付け場所の指示を行わせる。この状態では折り曲げ制御部４１の出力は、折り曲げ加工部品取付位置表示部７内の各軸の駆動部１１，１２，１５に伝達されて、折り曲げ加工部品取付位置表示部７の指示部の位置を所定位置に導く。なお、折り曲げ加工部品取付位置表示部７には各軸の位置が位置検出部４３，４４，４５から帰還されている。
【００３５】
このようにして折り曲げ加工部品３、４の段取時は、曲げ加工装置１付帯の制御装置に登録されたデータをもとに、制御部４１が各軸の駆動部１１，１２，１５に動作指示を出し、検出部４３，４４，４５の検出結果を元に、駆動の減速、停止、修正のフィードバック制御を行い、折り曲げ加工部品取付位置表示部７を所定の位置に移動する。
【００３６】
これらにより、作業者６は、使用する折り曲げ加工部品３、４を、数値等を確認せずとも、指示部による所定の位置に間違いなく取付ける事が可能となる。
【００３７】
また、次の折り曲げ加工部品３、４の取付時は、前記同様の制御により、次の折り曲げ加工部品取付開始位置に移動し、折り曲げ加工部品３、４取付けが完了するまで、前記の制御、作業者による取付作業を繰り返す。
【００３８】
なお図３の構成において、例えば、駆動軸１０、１３、１４をボールねじ、駆動部１１，１２，１５をサーボモータ等の回転アクチュエータ、各駆動軸１０、１３、１４上の位置検出を、回転式エンコーダを用いて実現することができる。
【００３９】
あるいは、駆動軸１０、１３、１４の一部、または全てを例えばリニアガイド等の直動ガイドとし、その駆動部１１，１２，１５を、リニアモータ等の直動アクチュエータし、各駆動軸１０、１３、１４上の位置検出に、リニアスケール等の直動エンコーダを用いて、前記を実現することもできる。
【００４０】
本発明では、図４（ａ）に表示部の平面図、図４（ｂ）に表示部の側断面図を示すように、折り曲げ加工部品取付位置表示部７は、折り曲げ加工部品取付開始位置を表示するための指示部１６を有し、この指示部１６により折り曲げ加工部品取付開始位置を表示する。
【００４１】
図１１（ａ）の平面図、図１１（ｂ）の正面図は、それぞれ図４（ａ）、図４（ｂ）と対して明らかなように、指示部１６にさらに加工部品取付時のストッパの機能をもたせて押し当て表示部２６としたものである。これは、押し当てて折り曲げ加工部品３、４の取付位置を押し当て表示部２６を用いて判断し、折り曲げ加工部品３、４の取付位置を得る構成を示している。
【００４２】
この例では、折り曲げ加工部品取付部２、５に移動した表示部２６の端面が折り曲げ加工部品取付開始位置に移動し、表示部２６の端面と折り曲げ加工部品３、４の端面を押し当てる事で、折り曲げ加工部品取付開始位置を直接表示する。
【００４３】
また、表示部２６の端面に例えば、接触式のセンサを配置し、折り曲げ加工部品３、４が取付されたい位置を検出し、その情報を制御部にて、所定の位置情報と比較する事で、折り曲げ加工部品取付位置間違いをリアルタイムに作業者に通知することも可能である。
【実施例２】
【００４４】
図５、図６、図７に本発明の実施例２に係る加工部品取付位置指示装置及びシステムの概略構成を示す。実施例２では、加工部品取付部に沿って表示部を設置する。実施例２では、表示部が加工部品取付位置指示装置５０に相当する。
【００４５】
図５（ａ）に表示部の平面図、図５（ｂ）に表示部の側断面図を示すように、曲げ加工装置１の折り曲げ加工部品取付部２、５、またはその周辺に、折り曲げ加工部品取付部２、５と同等の長さをもつ折り曲げ加工部品取付位置表示具１７を備え、表示具１７の該当位置を表示する。
【００４６】
この場合の折り曲げ加工部品取付位置指示システム構成は、図６に示すように実施例１とは折り曲げ加工部品取付位置表示部７が７aのように構成されている点で相違する。つまり３次元駆動機構と指示部１６を用いず、表示具１７の該当位置を表示するのみであるので、表示具１７のみを有し、駆動部も位置検出部も使用しない。
【００４７】
ここでは表示具１７としてＬＣＤ等のモニタ表示部１８を用いて折り曲げ加工部品取付位置を表示する。折り曲げ加工部品取付部２、５と同等以上の長さを有するＬＣＤ、または、複数のＬＣＤを直列に折り曲げ加工部品取付部２、５に設置し、曲げ加工装置１付帯の制御装置に登録されたデータをもとに、制御部よりＬＣＤに指示を行う。ここで、この表示は、例えば、位置が判る様に取付部とそれ以外を色分けして表示する。または、取付折り曲げ加工部品３、４の画像を、折り曲げ加工部品取付位置に表示し、その位置と種類を直接表示する。
【００４８】
実施例２において、ＬＣＤ等のモニタ表示部１７ではなく、表示具１８としてＬＥＤ等の可視光投射部１９により、折り曲げ加工部品２、４の取付位置を表示する。図７にこの時の装置構成とシステム構成を示す。
【００４９】
また、ＬＥＤ点灯による表示では、図７（ａ）に示すようにより細かいピッチでＬＥＤを配置する。また図７（ｂ）に示すようにＬＥＤとスリットを組み合わせ、所定の位置のみを点灯出来る様にし、複数段に分けて、隣接するＬＥＤが接触しない様に配置する。点灯の制御においては、対象位置のＬＥＤを全て点灯する様に制御し、折り曲げ加工部品取付位置を直接表示する。
【００５０】
なお図７（ａ）において１８は短冊状に細く配置された可視光表示部、可視光表示部１８を拡大した図７（ｂ）において、１９は可視光投射部、２１は遮光板である。可視光表示部１８の即断面を示す図７（Ｃ）において、２０は反射板であり、可視光投射部１９からの光が可視光の経路２２を経由してスリットから外部に流出することで位置表示を可能とする。
【００５１】
これらにより、作業者は、使用する折り曲げ加工部品３、４を数値等を確認せずとも、所定の位置に間違いなく取付ける事が可能となる。
【００５２】
また、次の折り曲げ加工部品取付時は、前記同様の制御により、次の折り曲げ加工部品取付開始位置に移動し、折り曲げ加工部品取付けが完了するまで、前記の制御、作業者による取付作業を繰り返す。
【実施例３】
【００５３】
図８、図９に本発明の実施例３に係る加工部品取付位置指示装置及びシステムの概略構成を示す。実施例３では、加工部品取付部に沿って回動表示部を設置する。実施例３では、回動表示部が加工部品取付位置指示装置５０に相当する。
【００５４】
図８（ａ）は、回動表示装置構成の平面図である。下側折り曲げ加工部品取付部５の上に取付けた回動表示部５０の構成を示す。回動表示部５０は、下側折り曲げ加工部品取付部５の所定位置に固定的に設置されており、ベルト駆動部２３によりベルト２５が回転移動する。ベルト２５の移動方向は、下側折り曲げ加工部品取付部５に沿って設定されている。
【００５５】
図８（ｂ）は、回動表示装置構成の正面図である。折り曲げ加工部品取付部２、５に沿ってＸ軸方向に移動するベルト２５の一部には位置指示部５１が設けられており、この指示位置に加工部品３，４を設置することで正しい位置に据え付けることが可能である。
【００５６】
なお、位置指示部５１を有するベルトの駆動部２３としてはサーボモータ等の回転アクチュエータとし、その位置検出に回転アクチュエータに対する回転式エンコーダ、または、表示部のベルトに対する直動エンコーダを用いて位置検出実現するのがよい。
【００５７】
図９にこの時の折り曲げ加工部品取付位置指示システムの構成を示す。折り曲げ加工部品取付位置表示部７ｂは、ベルトの駆動部２３を制御し位置検出器から表示位置を検知入力する。これらにより、作業者は、使用する折り曲げ加工部品３、４を、数値等を確認せずとも、所定の位置に間違いなく取付ける事が可能となる。
【００５８】
また、次の折り曲げ加工部品取付時は、前記同様の制御により、次の折り曲げ加工部品取付開始位置に移動し、折り曲げ加工部品取付が完了するまで、前記の制御、作業者による取付作業を繰り返す。
【実施例４】
【００５９】
図１０（ａ）の平面図、図１０（ｂ）の正面図に本発明の実施例４に係る加工部品取付位置指示装置の概略構成を示す。実施例４では、図１の多次元位置駆動機構の先端に設置された多次元の駆動機構に取付けた表示部７に可視光投射部１９が採用されている。この構造は、図４の指示部１６を可視光投射部１９に置き換えたものである。
【００６０】
この例では、表示部７の上に、例えば、レーザ照射等の可視光投射部１９を設置し、可視光の経路を形成するガイド２２を経由して折り曲げ加工部品取付開始位置を折り曲げ加工部品取付部５に照射して表示する。
【実施例５】
【００６１】
実施例５では上記実施例１から実施例４において、曲げ加工装置１内部、または外部に、折り曲げ加工部品３、４の検出部２７を設置する。
【００６２】
その検出結果により、折り曲げ加工部品３、４の種類及び折り曲げ加工部品取付位置が正常である時は、自動的に次の折り曲げ加工部品取付位置に移動し、折り曲げ加工部品３、４の種類及び折り曲げ加工部品取付位置に誤りがある場合は、その間違い内容をリアルタイムに作業者に通知する。
【００６３】
実施例５の実施の一例では、例えば図１２（a）の平面図、図１２（ｂ）の側断面図を、それぞれ実施例１の図２（a）の平面図、図２（ｂ）の側断面図と比較して明らかなように、折り曲げ加工部品取付位置表示部７に折り曲げ加工部品３、４の取付位置検出部２７を備える。
【００６４】
ここで、例えば、折り曲げ加工部品３、４の取付位置検出部２７をカメラとし、折り曲げ加工部品３、４の種類と折り曲げ加工部品取付位置の画像を入手する。入手された画像は画像認識され、その情報を制御部にて、所定の折り曲げ加工部品３、４の種類、折り曲げ加工部品取付位置を比較する事で、折り曲げ加工部品取付における間違いをリアルタイムに作業者に通知することができる。
【００６５】
これらにより、作業者は、使用する折り曲げ加工部品３、４について数値等を確認せずとも、所定の位置に間違いなく取付る事が可能となる。また、折り曲げ加工部品取付けにおける間違いをリアルタイムに作業者に通知することで、他折り曲げ加工部品取付後に、折り曲げ加工部品３、４種類、または、折り曲げ加工部品取付位置を修正する後戻り作業を防止する事が可能となる。
【００６６】
ここでリアルタイムとは、加工部品が折り曲げ加工部品取付部２，５に仮置きされ固定前の状態での確認、あるいは複数個の加工部品を順次固定しながら次の加工部品の設置に移る場合などに次に移る前の段階での確認などを意味している。このため、加工部品の固定を解いて、再設置するといったような後戻り作業を防止する事が可能となる。
【００６７】
図１３は実施例５に係る折り曲げ加工部品取付位置指示システム構成を示す図であり、実施例１に示す図３と比較して明らかなように、折り曲げ加工部品取付位置検出部２７が制御部に取り込まれている。
【００６８】
なお取付位置検出部２７は、カメラの代わりに超音波センサ等を用いることができる。例えば図１４に示す様に、折り曲げ加工部品取付部２、５の端面付近に、超音波センサ等の位置検出用のセンサ２７を設置し、その検出結果を、制御部にて所定の折り曲げ加工部品取付位置と比較することで、折り曲げ加工部品取付位置の間違いをリアルタイムに作業者に通知することができる。
【実施例６】
【００６９】
実施例６では上記の実施例において、折り曲げ加工後の製品形状を表示する機構を有し、折り曲げ加工前の製品と折り曲げ加工後の形状を直接比較出来る様にする折り曲げ加工部品取付位置指示装置及びシステムについて説明する。
【００７０】
図１５において、作業者６は折り曲げ加工後の製品形状を表示する機構として、画像の網膜機能を有する眼鏡３０を使用する。作業者が、眼鏡３０を使用して網膜に形成された画像は例えば網膜画像Ｖのようである。ここでは、加工部品３，４を取付けた加工部品取付部２，５を見たときに、折り曲げ加工前の製品２８と、折り曲げ加工後の製品形状２９を重ねて視認することができる。
【００７１】
図１６にこの時のシステム構成を示す。なお網膜機能を有する眼鏡３０、網膜投射装置には、折り曲げ加工データベースＤＢ２から折り曲げ加工後の製品形状の情報が送られて網膜機能を有する眼鏡３０を装着した作業者６に折り曲げ加工後の製品イメージを与え、網膜投射装置３０からは、この位置での実画像と仮想画像の合成画像を得る。
【００７２】
なお、折り曲げ加工部品取付部２，５に複数の折り曲げ加工部品を設置するとき、その設置位置の折り曲げ加工部品ごとに異なる加工後製品をイメージとして与えることは言うまでもない。
【００７３】
これらにより、作業者は、折り曲げ加工の指示等を確認せずとも、折り曲げ加工前の製品設置方法などを直接確認出来る様になり、例えば、折り曲げ加工方向の間違いなどの製品不良を未然に防止することが可能となる。
【００７４】
折り曲げ加工後の製品形状を表示する機構として、例えば、プロジェクタ３１を使用した例を図１７に示す。プロジェクタ３１から折り曲げ加工後の製品２９形状を折り曲げ加工場所に投射して、折り曲げ加工前の製品２８と直接表示する。
【００７５】
図１８に折り曲げ加工後の製品２９形状を直接比較出来る様にする折り曲げ加工部品取付位置指示システムの例を示す。プロジェクタ３１（映像当社装置）には、折り曲げ加工データベースＤＢ２から折り曲げ加工後の製品形状の情報が送られて加工部品近傍に折り曲げ加工後の製品イメージを与え、プロジェクタ３１からは、この位置での画像を得る。
【００７６】
最後に従来における加工部品取付手順と、本発明における加工部品取付手順について対比して説明する。
【００７７】
まず従来における加工部品取付手順の場合、図１９左側に示すように金型（加工部品）取付開始から取付完了までの間に、８工程の処理を必要とする。このときの各処理は、必要金型の準備（処理Ｓ１），金型取付位置情報の検索（処理Ｓ２）、金型取付位置情報の表示（処理Ｓ３）、金型取付位置情報の確認（処理Ｓ４）、金型取付位置の確認（処理Ｓ５）、指定位置に金型取付（処理Ｓ６）、金型追加がある場合の上記処理の繰り返し（処理Ｓ７）である。
【００７８】
このうち、装置側が実行してくれるのは金型取付位置情報の表示（処理Ｓ３）のみであり、他の処理は逐一の作業者の判断と処理に頼り実行される。
【００７９】
これに対し本発明では、処理Ｓ１で必要金型の準備を行うのみで、装置はあらかじめ定められた加工部品取付作業工程に従い、データベースＤＢを参照して取付位置の指示を行う。ここでは最終取付位置が表示されるので、金型取付位置情報の検索（処理Ｓ２）、金型取付位置情報の表示（処理Ｓ３）、金型取付位置情報の確認（処理Ｓ４）、金型取付位置の確認（処理Ｓ５）といった作業者依存の処理、判断が不必要である。
【００８０】
作業者は指示された位置に加工部品を取付る（処理Ｓ６）のみである。あとは、指示位置に逐次装着していけばよい。
【００８１】
なお、本発明は上記した実施例に限定されるものではなく、様々な変形例が含まれる。例えば、上記した実施例は本発明を分かりやすく説明するために詳細に説明しているものであり、必ずしも説明したすべての構成を備えるものに限定されるものではない。また、ある実施例の構成の一部を他の実施例の構成に置き換えることが可能であり、またある実施例の構成に他の実施例の構成を加えることも可能である。また、各実施例の一部について、他の構成の追加、削除、置換をすることが可能である。
【００８２】
また、上記の各構成、機能、処理部、処理手段などは、それらの一部または全部を、例えば集積回路で設計するなどによりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイルなどの情報は、メモリやハードディスク、ＳＳＤ（Ｓｏｌｉｄ  Ｓｔａｔｅ  Ｄｒｉｖｅ）などの記録装置、またはＩＣカード、ＳＤカード、ＤＶＤなどの記録媒体に置くことができる。
【００８３】
また、制御線や情報線は説明上必要と考えられるものを示しており、製品上必ずしもすべての制御線や情報線を示しているとは限らない。実際にはほとんどすべての構成が相互に接続されていると考えてもよい。
【符号の説明】
【００８４】
１：曲げ加工装置
２：上側折り曲げ加工部品取付部
３：上側折り曲げ加工部品
４：下側折り曲げ加工部品
５：下側折り曲げ加工部品取付部
６：作業者
７：折り曲げ加工部品取付位置表示部
８：Ｚ軸昇降部
９：Ｙ軸駆動部
１０：Ｙ軸駆動軸
１１：Ｘ軸固定部
１２：Ｙ軸固定部
１３：Ｘ軸駆動軸
１４：Ｚ軸駆動軸
１５：Ｚ軸駆動部
１６：指示部
１７：表示部
１８：可視光表示部
１９：可視光投射部
２０：反射板
２１：遮光板
２２：可視光の経路を形成するガイド
２３：ベルト駆動部
２５：ベルト型表示部
２６：押し当て表示部
２７：取付位置検出部
２８：加工前の製品
２９：加工後の製品
３０：網膜投射型装置
３１：映像投射装置
【図１（ａ）】
2014104506.tif 000003
【図１（ｂ）】
2014104506.tif 000004
【図２（ａ）】
2014104506.tif 000005
【図２（ｂ）】
2014104506.tif 000006
【図３】
2014104506.tif 000007
【図４（ａ）】
2014104506.tif 000008
【図４（ｂ）】
2014104506.tif 000009
【図５（ａ）】
2014104506.tif 000010
【図５（ｂ）】
2014104506.tif 000011
【図６】
2014104506.tif 000012
【図７（ａ）】
2014104506.tif 000013
【図７（ｂ）】
2014104506.tif 000014
【図７（ｃ）】
2014104506.tif 000015
【図８（ａ）】
2014104506.tif 000016
【図８（ｂ）】
2014104506.tif 000017
【図９】
2014104506.tif 000018
【図１０（ａ）】
2014104506.tif 000019
【図１０（ｂ）】
2014104506.tif 000020
【図１１（ａ）】
2014104506.tif 000021
【図１１（ｂ）】
2014104506.tif 000022
【図１２（ａ）】
2014104506.tif 000023
【図１２（ｂ）】
2014104506.tif 000024
【図１３】
2014104506.tif 000025
【図１４】
2014104506.tif 000026
【図１５】
2014104506.tif 000027
【図１６】
2014104506.tif 000028
【図１７】
2014104506.tif 000029
【図１８】
2014104506.tif 000030
【図１９】
2014104506.tif 000031